(57)【要約】【課題】機器に対する設定作業の負担を軽減すること。【解決手段】１以上のコンピュータを含む情報処理システムは、  機器が有する複数の設定項目のそれぞれに対する設定値の組み合わせを１以上記憶する第一の記憶部と、機器の属性情報と前記組み合わせとを対応付ける情報を記憶する第二の記憶部と、第一の機器の属性情報に対応する前記組み合わせを前記第二の記憶部を用いて特定する特定部と、前記特定部によって特定された組み合わせに属する各設定値を前記第一の記憶部から取得する取得部と、前記取得部によって取得された各設定値を前記第一の機器に設定する設定部と、を有する。【選択図】図３
2015114861.tif 000002
【特許請求の範囲】
【請求項１】
１以上のコンピュータを含む情報処理システムであって、
機器が有する複数の設定項目のそれぞれに対する設定値の組み合わせを１以上記憶する第一の記憶部と、
機器の属性情報と前記組み合わせとを対応付ける情報を記憶する第二の記憶部と、
第一の機器の属性情報に対応する前記組み合わせを前記第二の記憶部を用いて特定する特定部と、
前記特定部によって特定された組み合わせに属する各設定値を前記第一の記憶部から取得する取得部と、
前記取得部によって取得された各設定値を前記第一の機器に設定する設定部と、
を有することを特徴とする情報処理システム。
【請求項２】
ネットワークに新たに接続された機器を検出する検出部を有し、
前記特定部は、前記検出部によって検出された機器の属性情報に対応する前記組み合わせを前記第二の記憶部を用いて特定する請求項１記載の情報処理システム。
【請求項３】
前記対応付ける情報は、前記機器の個体ごとの個体識別情報と、前記組み合わせに対応する機器の設置時期を示す情報とを含み、
前記特定部は、前記第一の機器の属性情報に含まれる個体識別情報を含む前記対応付ける情報が前記第二の記憶部に記憶されており、当該対応付ける情報が、現時点以降の設置時期を示す情報を含む場合に、当該対応付ける情報に基づいて前記組み合わせを特定する請求項１又は２記載の情報処理システム。
【請求項４】
前記対応付ける情報は、前記機器の個体ごとの個体識別情報と、前記組み合わせに対応する機器の廃棄時期を示す情報と、ネットワークアドレス情報とを示す情報とを含み、
前記特定部は、前記第一の機器の属性情報に含まれる個体識別情報を含む前記対応付ける情報が前記第二の記憶部に記憶されておらず、前記第一の機器の属性情報に含まれるネットワークアドレス情報を含む前記対応付ける情報が前記第二の記憶部に記憶されており、当該対応付ける情報が、現時点以降の廃棄時期を示す情報を含む場合に、当該対応付ける情報に基づいて前記組み合わせを特定する請求項１乃至３いずれか一項記載の情報処理システム。
【請求項５】
前記取得部は、前記第一の機器の属性情報に対応する前記組み合わせが無い場合は、既定の前記組み合わせに属する各設定値を前記第一の記憶部から取得する請求項１乃至４いずれか一項記載の情報処理システム。
【請求項６】
機器が有する複数の設定項目のそれぞれに対する設定値の組み合わせを１以上記憶する第一の記憶部と、
機器の属性情報と前記組み合わせとを対応付ける情報を記憶する第二の記憶部と、
第一の機器の属性情報に対応する前記組み合わせを、機器の属性情報と前記組み合わせとを対応付ける情報を記憶する前記第二の記憶部を用いて特定する特定部と、
前記特定部によって特定された組み合わせに属する各設定値を前記第一の記憶部から取得する取得部とを有し、
前記取得部によって取得された各設定値が前記第一の機器に設定される情報処理装置。
【請求項７】
１以上のコンピュータを含む情報処理システムが、
機器が有する複数の設定項目のそれぞれに対する設定値の組み合わせを１以上記憶する第一の記憶部と、
機器の属性情報と前記組み合わせとを対応付ける情報を記憶する第二の記憶部とを用いて、
第一の機器の属性情報に対応する前記組み合わせを前記第二の記憶部を用いて特定する特定手順と、
前記特定手順において特定された組み合わせに属する各設定値を前記第一の記憶部から取得する取得手順と、
前記取得手順において取得された各設定値を前記第一の機器に設定する設定手順と、
を実行ことを特徴とする情報処理方法。
【請求項８】
コンピュータに、
機器が有する複数の設定項目のそれぞれに対する設定値の組み合わせを１以上記憶する第一の記憶部と、
機器の属性情報と前記組み合わせとを対応付ける情報を記憶する第二の記憶部とを用いて、
第一の機器の属性情報に対応する前記組み合わせを、機器の属性情報と前記組み合わせとを対応付ける情報を記憶する前記第二の記憶部を用いて特定する特定手順と、
前記特定手順において特定された組み合わせに属する各設定値を前記第一の記憶部から取得する取得手順とを実行させ、
前記取得手順において取得された各設定値が前記第一の機器に設定されるプログラム。
【発明の詳細な説明】
【技術分野】
【０００１】
本発明は、情報処理システム、情報処理装置、情報処理方法、及びプログラムに関する。
【背景技術】
【０００２】
近年の複合機やプリンタ等の機器は、各種の設定項目の値の変更や、アプリケーションのインストール等により、ユーザの業務に合わせた機能拡張等が可能とされている。
【発明の概要】
【発明が解決しようとする課題】
【０００３】
一方で、ユーザは、新たな機器を導入した場合、当該機器をユーザの業務に合わせた状態にするために、各種の設定項目に対する値の設定や、アプリケーションのインストール等といった作業負担を負うことになる。
【０００４】
本発明は、上記の点に鑑みてなされたものであって、機器に対する設定作業の負担を軽減することを目的とする。
【課題を解決するための手段】
【０００５】
そこで上記課題を解決するため、１以上のコンピュータを含む情報処理システムは、
機器が有する複数の設定項目のそれぞれに対する設定値の組み合わせを１以上記憶する第一の記憶部と、機器の属性情報と前記組み合わせとを対応付ける情報を記憶する第二の記憶部と、第一の機器の属性情報に対応する前記組み合わせを前記第二の記憶部を用いて特定する特定部と、前記特定部によって特定された組み合わせに属する各設定値を前記第一の記憶部から取得する取得部と、前記取得部によって取得された各設定値を前記第一の機器に設定する設定部と、を有する。
【発明の効果】
【０００６】
機器に対する設定作業の負担を軽減することができる。
【図面の簡単な説明】
【０００７】
【図１】本発明の実施の形態におけるシステム構成例を示す図である。
【図２】本発明の実施の形態における資産管理装置のハードウェア構成例を示す図である。
【図３】第一の実施の形態における各装置の機能構成例を示す図である。
【図４】第一の実施の形態において資産管理装置及び機器管理装置が実行する処理手順の一例を説明するためのフローチャートである。
【図５】機器情報の構成例を示す図である。
【図６】資産情報の構成例を示す図である。
【図７】プロファイルの構成例を示す図である。
【図８】第二の実施の形態において資産管理装置及び機器管理装置が実行する処理手順の一例を説明するためのフローチャートである。
【発明を実施するための形態】
【０００８】
以下、図面に基づいて本発明の実施の形態を説明する。図１は、本発明の実施の形態におけるシステム構成例を示す図である。図１において、資産管理装置１０、機器管理装置２０、複数の機器３０、及びクライアント装置４０等は、ＬＡＮ（Local Area Network）又はＷＡＮ（Wide Area Network）等のネットワーク５０を介して接続されている。
【０００９】
機器３０は、例えば、複合機、複写機、スキャナ、又はプリンタ等の画像形成装置である。但し、機器３０は、プロジェクタ、電子黒板、テレビ会議システム、又はデジタルカメラ等、画像形成装置以外の電子機器であってもよい。
【００１０】
機器管理装置２０は、ネットワーク５０に接続されている各機器３０と定期的に通信することにより、各機器３０の状態を監視するコンピュータである。機器管理装置２０は、各機器３０との通信により、各機器３０の属性情報や、各機器３０が有する設定項目に対する設定値等を含む情報（以下、「機器情報」という。）を、各機器３０より収集し、記憶する。設定項目の値には、パラメータの値のみならず、機器３０にインストールされているプログラムの識別情報が含まれてもよい。すなわち、本実施の形態において、機器３０に対するプログラムのインストールも、機器３０が有する設定項目に対する値の設定の一形態として扱われる。
【００１１】
資産管理装置１０は、各機器３０の資産情報を管理するコンピュータである。資産情報は、例えば、一般的な資産管理において必要とされる情報である。なお、資産管理装置１０は、機器３０以外の資産に関する資産情報を管理してもよい。例えば、ソフトウェアに関する資産情報や、他の資産の資産情報が資産管理装置１０によって管理されてもよい。
【００１２】
クライアント装置４０は、機器管理装置２０や資産管理装置１０に対するユーザインタフェースとして機能する情報処理装置である。すなわち、ユーザは、クライアント装置４０を介して、機器管理装置２０又は資産管理装置１０に対する要求を入力する。クライアント装置４０の一例として、ＰＣ（Personal Computer）、タブレット型端末、スマートフォン、又は携帯電話等が挙げられる。
【００１３】
図２は、本発明の実施の形態における資産管理装置のハードウェア構成例を示す図である。図２の資産管理装置１０は、それぞれバスＢで相互に接続されているドライブ装置１００、補助記憶装置１０２、メモリ装置１０３、ＣＰＵ１０４、及びインタフェース装置１０５等を有する。
【００１４】
資産管理装置１０での処理を実現するプログラムは、ＣＤ−ＲＯＭ等の記録媒体１０１によって提供される。プログラムを記憶した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１５】
メモリ装置１０３は、プログラムの起動指示があった場合に、補助記憶装置１０２からプログラムを読み出して格納する。ＣＰＵ１０４は、メモリ装置１０３に格納されたプログラムに従って資産管理装置１０に係る機能を実行する。インタフェース装置１０５は、ネットワークに接続するためのインタフェースとして用いられる。
【００１６】
なお、資産管理装置１０は、一以上のコンピュータによって構成されてもよい。また、機器管理装置２０についても、図２に示されるようなハードウェアを有していてもよいし、一以上のコンピュータによって構成されてもよい。更に、機器管理装置２０と資産管理装置１０とは、一又は複数の同一のコンピュータを用いて実現されてもよい。
【００１７】
図３は、第一の実施の形態における各装置の機能構成例を示す図である。図３において、クライアント装置４０は、要求送信部４１及び応答受信部４２等を有する。要求送信部４１は、マウス、キーボード、ボタン、又はタッチパネル等の入力装置を介して入力される、ユーザによる操作に応じた処理要求を、資産管理装置１０に送信する。応答受信部４２は、処理要求に応じて資産管理装置１０において実行される処理の実行結果等を含む応答を受信する。応答受信部４２は、応答に含まれている情報を、例えば、液晶ディスプレイ等の表示装置に表示させる。
【００１８】
資産管理装置１０は、資産管理通信部１１及び資産情報管理部１２等を有する。これら各部は、資産管理装置１０にインストールされたプログラムが、ＣＰＵ１０４に実行させる処理により実現される。資産管理装置１０は、また、資産情報記憶部１３及びプロファイル記憶部１４等を有する。これら各記憶部は、補助記憶装置１０２を用いて実現可能である。または、これら各記憶部は、資産管理装置１０にネットワークを介して接続される記憶装置等を用いて実現されてもよい。
【００１９】
資産管理通信部１１は、クライアント装置４０及び機器管理装置２０等との通信を制御する。資産情報管理部１２は、資産情報記憶部１３が記憶する資産情報の更新や、資産情報を利用した処理等を実行する。
【００２０】
資産情報記憶部１３は、各機器３０の資産情報を記憶する。プロファイル記憶部１４は、１以上のプロファイルを記憶する。プロファイルとは、機器３０が有する複数の設定項目に対する設定値の組み合わせをいう。１つのプロファイルは、機器３０が有する複数の設定項目に対する１つの設定パターンであるともいえる。すなわち、複数の機器３０が有る場合、機器３０ごとに設定値の組み合わせが異なるとは限らない。例えば、各機器３０に対する設定値の組み合わせは、１以上のパターンに分類可能である場合が有る。本実施の形態では、このような場合において特に有効である。
【００２１】
機器管理装置２０は、機器管理通信部２１、機器設定管理部２２、及び機器情報管理部２３等を有する。これら各部は、機器管理装置２０にインストールされたプログラムが、機器管理装置２０のＣＰＵに実行させる処理により実現される。機器管理装置２０は、また、機器情報記憶部２４を有する。機器情報記憶部２４は、機器管理装置２０の補助記憶装置を用いて実現可能である。または、機器情報記憶部２４は、機器管理装置２０にネットワークを介して接続される記憶装置等を用いて実現されてもよい。
【００２２】
機器管理通信部２１は、資産管理装置１０等との通信を制御する。機器設定管理部２２は、機器３０が有する設定項目に対する値の設定等を行う。機器情報管理部２３は、各機器３０からの機器情報の収集や、収集された機器情報の機器情報記憶部２４への記憶等を行う。機器情報管理部２３は、収集された機器情報に基づいて、各機器の状態の監視や、新たな機器３０の設置（ネットワーク５０への接続）の検出等を行う。機器情報記憶部２４は、各機器３０の機器情報を記憶する。
【００２３】
以下、資産管理装置１０及び機器管理装置２０等が実行する処理手順について説明する。図４は、第一の実施の形態において資産管理装置及び機器管理装置が実行する処理手順の一例を説明するためのフローチャートである。
【００２４】
機器情報管理部２３は、ネットワーク５０に接続されている各機器３０から機器情報を定期的に取得する（Ｓ１０）。
【００２５】
図５は、機器情報の構成例を示す図である。図５には、一つの機器３０に対する機器情報（すなわち、機器情報記憶部２４の一つのレコード）の構成例が示されている。機器情報は、基本情報、設定項目情報、及びアプリケーションを含む。
【００２６】
基本情報は、機器３０の基本的な情報であり、機器ＩＤ、モデル名、ＩＰアドレス、シリアル番号、ＭＡＣアドレス、設置場所、登録日時、廃棄日時、設定項目ＩＤ、及びアプリケーションＩＤ等の項目を含む。
【００２７】
機器ＩＤは、機器管理装置２０において、各機器３０の個体（機体）を識別するための識別情報である。モデル名は、当該機器３０のモデル名である。ＩＰアドレス、シリアル番号、ＭＡＣアドレスは、当該機器３０のＩＰアドレス、ＭＡＣアドレス、シリアル番号である。なお、シリアル番号も、機器３０の個体（機体）を識別する情報である。
【００２８】
設置場所は、当該機器３０が設置されている場所である。登録日時は、機器情報が機器情報記憶部２４に登録された日時である。廃棄日時は、機器管理装置２０が、ネットワーク５０上において機器３０の存在を確認できなくなった日時である。例えば、定期的な機器情報の取得において、所定期間継続して又は所定回数連続して検索されなくなった機器３０について、廃棄日時が記憶される。
【００２９】
設定項目ＩＤは、機器３０が有する各設定項目の識別情報である。設定項目ＩＤは、機器３０が有する設定項目のうちの一部又は全部の設定項目の数だけ基本情報に含まれる。なお、設定項目ＩＤに係る設定項目は、狭義の意味での設定項目（例えば、パラメータ）をいい、インストールされているプログラム（アプリケーション）は含まれない。アプリケーションＩＤは、機器３０にインストールされているアプリケーションの識別情報である。アプリケーションＩＤは、機器３０にインストールされているアプリケーションの数だけ基本情報に含まれる。
【００３０】
設定項目情報は、機器３０が有する各設定項目（パラメータ）の詳細情報であり、設定項目ごとに、設定項目ＩＤ、設定項目名、及び設定値等の項目を含む。設定項目ＩＤは、設定項目の識別情報である。基本情報に含まれる設定項目ＩＤは、設定項目情報における設定項目ＩＤに対するリンク情報に相当する。設定項目名は、設定項目の名称である。設定値は、設定項目に対して設定されている値である。
【００３１】
アプリケーション情報は、機器３０にインストールされている各アプリケーションの詳細情報であり、アプリケーションごとに、アプリケーションＩＤ、アプリケーション名、バージョン、及びシリアル番号等の項目を含む。アプリケーションＩＤは、アプリケーションの識別情報である。基本情報に含まれるアプリケーションＩＤは、アプリケーション情報におけるアプリケーションＩＤに対するリンク情報に相当する。アプリケーション名は、アプリケーションの名称である。バージョンは、アプリケーションのバージョンである。シリアル番号は、アプリケーションのシリアル番号である。
【００３２】
各機器３０からの機器情報の取得が完了すると、機器情報管理部２３は、新たな機器３０が設置されたか否かを判定する（Ｓ２０）。新たな機器３０の発見の有無は、機器情報記憶部２４に記憶されているいずれの機器情報とも機器ＩＤの値が異なる機器情報の取得の有無に基づいて行うことができる。すなわち、過去に機器情報記憶部２４に記憶されたいずれの機器情報とも機器ＩＤの値が異なる機器情報が取得された場合、機器情報管理部２３は、新たな機器３０（以下、「新規機器３０」という。）の設置（ネットワーク５０への接続）を検出する。なお、１以上の新規機器３０が検出されてもよい。この場合、ステップＳ３０以降は、検出された新規機器３０ごとに実行されればよい。
【００３３】
新規機器３０の設置が検出された場合（Ｓ２０でＹｅｓ）、機器情報通信部は、新規機器３０の機器情報を、資産管理装置１０に送信することにより、当該機器情報に係る新規機器３０の設置を、資産管理装置１０に通知する。
【００３４】
当該機器情報が、資産管理通信部１１によって受信されると、資産情報管理部１２は、当該機器情報に対応する資産情報を、資産情報記憶部１３から検索する（Ｓ３０）。
【００３５】
図６は、資産情報の構成例を示す図である。図６には、一つの機器３０に対する資産情報（すなわち、資産情報記憶部１３の一つのレコード）の構成例が示されている。資産情報は、資産情報を構成する項目ごとに、値を含む。資産情報を構成する項目は、例えば、管理番号、管理者名、モデル名、設置場所、ＩＰアドレス、ＭＡＣアドレス、シリアル番号、購入金額、導入日時、廃棄日時、設置予定日時、及びプロファイルＩＤ等である。
【００３６】
管理番号は、資産ごとに割り当てられる番号である。管理者名は、当該資産に係る機器３０の管理者の名前である。モデル名は、当該機器３０のモデル名である。設置場所は、当該機器３０が設置される場所である。ＩＰアドレスは、該機器３０に対して設定されるべきＩＰアドレスである。ＭＡＣアドレス、シリアル番号は、当該機器３０のＭＡＣアドレス、シリアル番号である。購入金額は、当該機器３０の購入金額である。導入日時は、当該機器３０を導入した日時である。廃棄日時は、当該機器３０が廃棄された日時（時期）である。廃棄日時によって、当該機器３０が使用されているか否かを判別することができる。すなわち、廃棄日時は、当該機器３０の使用状態を示す情報の一例である。但し、ステータス等、機器３０の使用状態を直接的に示す項目が資産情報に含まれてもよい。設置予定日時は、当該機器３０が設置予定の日時（時期）である。プロファイルＩＤは、当該機器３０に対して適用されるべきプロファイルの識別情報である。
【００３７】
なお、資産情報は、基本的に、機器３０の設置前に資産情報記憶部１３に登録される。資産情報の入力は、例えば、クライアント装置４０を用いてユーザによって行われる。
【００３８】
ステップＳ３０では、例えば、新規機器３０の機器情報に含まれるシリアル番号と同一のシリアル番号を含む資産情報が、資産情報記憶部１３より検索される。シリアル番号の代わりに、ＭＡＣアドレスが使用されてもよい。また、ＩＰアドレスの一意性が保証されている環境においては、ＩＰアドレスが使用されてもよい。また、シリアル番号、ＭＡＣアドレス、及びＩＰアドレスのうちの２以上の組み合わせが使用されてもよい。
【００３９】
続いて、資産情報管理部１２は、新規機器３０の機器情報のＩＰアドレスと資産情報に登録されたＩＰアドレスとが一致するか否かを判定する（Ｓ４０）。すなわち、新規機器３０に対して、資産管理で予定されている通りのＩＰアドレスが設定されているか否かが判定される。
【００４０】
比較されたＩＰアドレス同士が一致する場合（Ｓ４０でＹｅｓ）、資産情報管理部１２は、現在日時（現時点）が、当該資産情報に含まれている設置予定日時以降であるか否かを判定する（Ｓ５０）。現在日時が、当該資産情報に含まれている設置予定日時以降である場合（Ｓ５０でＹｅｓ）、資産情報管理部１２は、当該資産情報に含まれているプロファイルＩＤに対応する一つのプロファイルを、プロファイル記憶部１４から取得し、当該プロファイルを、資産管理通信部１１を介して、機器管理装置２０に送信する（Ｓ６０）。
【００４１】
図７は、プロファイルの構成例を示す図である。図７において、一つのプロファイルは、基本情報、設定項目情報、及びアプリケーション情報を含む。
【００４２】
基本情報は、プロファイルの基本的な情報であり、プロファイルＩＤ、設定項目ＩＤ、及びアプリケーションＩＤ等の項目を含む。
【００４３】
プロファイルＩＤは、当該プロファイルのプロファイルＩＤである。設定項目ＩＤは、当該プロファイルに属する（当該プロファイルに基づいて値が設定されるべき）各設定項目の識別情報である。設定項目ＩＤは、当該プロファイルに基づいて設定される設定項目の数だけ基本情報に含まれる。なお、設定項目ＩＤに係る設定項目は、狭義の意味での設定項目（例えば、パラメータ）をいい、インストールされているプログラムは含まれない。アプリケーションＩＤは、当該プロファイルに属する（当該プロファイルに基づいてインストールされるべき）アプリケーションの識別情報である。アプリケーションＩＤは、当該プロファイルに基づいてインストールされるアプリケーションの数だけ基本情報に含まれる。
【００４４】
設定項目情報及びアプリケーション情報の構成は、機器情報（図７）における同名の情報の構成と同じであるため、ここでの説明は省略する。
【００４５】
このように、一つのプロファイルには、機器３０に対する設定項目の設定値の組み合わせが含まれる。
【００４６】
なお、新規機器３０の資産情報にプロファイルＩＤが含まれていない場合、既定の（デフォルトの）プロファイルが、プロファイル記憶部１４から取得されてもよい。すなわち、プロファイル記憶部１４には、プロファイルＩＤが対応付けられていない機器３０に対して適用されるべきプロファイルが、既定のプロファイルとして記憶されていてもよい。
【００４７】
機器管理装置２０において、機器管理通信部２１によってプロファイルが受信されると、機器設定管理部２２は、当該プロファイルに定義されている設定内容を取得する（Ｓ７０）。続いて、機器設定管理部２２は、新規機器３０に対して、当該設定内容を適用する（Ｓ８０）。具体的には、機器設定管理部２２は、当該プロファイルの設定項目情報が示す通りに、新規機器３０の各設定項目に対して値を設定する。また、機器設定管理部２２は、当該プロファイルのアプリケーション情報が示す通りに、新規機器３０に対してアプリケーションをインストールする。なお、設定値の設定やアプリケーションのインストール等は、ネットワークを介して行われる。
【００４８】
プロファイルの設定内容の適用が完了すると、機器情報管理部２３は、機器情報記憶部２４に対して、新規機器３０の機器情報を記憶する（Ｓ９０）。
【００４９】
一方、ステップＳ４０において比較されたＩＰアドレス同士が一致しない場合（Ｓ４０でＮｏ）、又は現在日時が設置予定日時より前である場合（Ｓ５０でＮｏ）、ステップＳ５０〜Ｓ８０は実行されずにステップＳ９０が実行される。この場合、当該新規機器３０について、資産管理において期待されている運用状態でないため、ステップＳ５０〜Ｓ８０を実行するのは適切でないと考えられるからである。資産管理において期待されている運用状態の一例として、例えば、テスト的な運用状態が挙げられる。
【００５０】
上述したように、第一の実施の形態によれば、予め用意されているプロファイルを利用して、新規機器３０に対する設定処理を自動的に行うことができる。ここで、複数の機器３０の設定内容が共通していれば、複数の機器３０に対して一つのプロファイルを適用することができる。したがって、各機器３０に対する設定作業の負担を軽減することができる。
【００５１】
なお、プロファイルには、機器３０が有する全ての設定項目が定義されなくてもよい。いずれの設定項目をプロファイルに含めるかについては、運用に応じて適宜定められてもよい。例えば、機器３０ごとに固有の値が設定されるべき設定項目（例えば、ＩＰアドレス等）については、プロファイルに含めないようにしてもよい。
【００５２】
また、利用する通信プロトコル等に応じて、ＵＲＬ（Uniform Resource Locator）等、ＩＰアドレス以外のネットワークアドレス情報が、ＩＰアドレスの代わりに用いられてもよい。
【００５３】
次に、第二の実施の形態について説明する。第二の実施の形態では第一の実施の形態と異なる点について説明する。したがって、特に言及されない点については、第一の実施の形態と同様でもよい。
【００５４】
第二の実施の形態では、古い機器３０を新しい機器３０に置き換えて、新しい機器３０を、古い機器３０と同様の設定で利用したい場合について説明する。
【００５５】
図８は、第二の実施の形態において資産管理装置及び機器管理装置が実行する処理手順の一例を説明するためのフローチャートである。図８中、図４と同一部分には同一符号を付し、その説明は省略する。図８では、ステップＳ３０に続いて、ステップＳ３１〜Ｓ３３が実行される。また、ステップＳ５０の代わりにステップＳ５０ａが実行される。
【００５６】
ステップＳ３１において、資産情報管理部１２は、新規機器３０に対応する資産情報が検索されたか否かを判定する。当該資産情報が検索されない場合（Ｓ３１でＹｅｓ）、資産情報管理部１２は、新規機器３０の機器情報に含まれているＩＰアドレスを含む資産情報を、資産情報記憶部１３から検索する（Ｓ３２）。該当する資産情報が検索された場合（Ｓ３３でＹｅｓ）、資産情報管理部１２は、現在日時が、当該資産情報に含まれている廃棄日時より後であるか否かを判定する（Ｓ５０ａ）。すなわち、当該資産情報が、廃棄済みの機器３０の資産情報であるか否かが判定される。
【００５７】
現在日時が当該資産情報に含まれている廃棄日時より後である場合（すなわち、当該資産情報が廃棄済みの機器３０の資産情報である場合）（Ｓ５０ａでＹｅｓ）、ステップＳ６０以降が実行される。
【００５８】
一方、新規機器３０に対応する資産情報が検索されない場合（Ｓ３１でＮｏ）、新規機器３０の機器情報に含まれているＩＰアドレスを含む資産情報が検索されない場合（Ｓ３３でＮｏ）、又は現在日時が資産情報に含まれている廃棄日時以前である場合（Ｓ５０ａでＮｏ）、ステップＳ６０〜Ｓ８０は実行されない。現在日時が資産情報の廃棄日時以前である場合に、ステップＳ６０〜Ｓ８０が実行されないのは、新規機器３０によって置き換えられる機器３０は、資産管理においては、廃棄されたことになっておらず、ユーザの意図が、当該機器３０を新規機器３０によって置き換えることであるのか否かを、資産管理装置１０が判定することができないからである。
【００５９】
すなわち、第二の実施の形態において、廃棄された機器３０（以下、「廃棄機器３０」という。）と同じ設定を新規機器３０に対して適用したい場合、ユーザは、新規機器３０の資産情報の登録を後回しにして、新規機器３０のＩＰアドレスの値を、廃棄機器３０と同じ値にしておけばよい。換言すれば、資産情報が登録されておらず、廃棄機器３０のＩＰアドレスと同じＩＰアドレスを有する新規機器３０が設置されたということが、資産管理装置１０おいて、廃棄機器３０と同じ設定を新規機器３０に適用したいというユーザの意図として認識される。
【００６０】
このように、第二の実施の形態によれば、機器３０を置き換える場合における、新規機器３０に対する設定作業の負担を軽減することができる。すなわち、
なお、第一の実施の形態と第二の実施の形態とは組み合わされて実施されてもよい。例えば、図８において、ステップＳ３１でＮｏの場合に、図４のステップＳ４０以降が実行されてもよい。
【００６１】
なお、上記各実施の形態において、資産管理装置１０及び機器管理装置２０の組み合わせは、情報処理システムの一例である。プロファイル記憶部１４は、第一の記憶部の一例である。資産情報は、機器の属性情報と組み合わせとを対応付ける情報の一例である。資産情報記憶部１３は、第二の記憶部の一例である。資産情報管理部１２は、特定部及び取得部の一例である。機器設定管理部２２は、設定部の一例である。機器情報管理部２３は、検出部の一例である。シリアル番号は、個体識別情報の一例である。資産情報の設置予定日時は、設置時期を示す情報の一例である。資産情報の廃棄日時は、廃棄時期を示す情報の一例である。資産情報のＩＰアドレスは、ネットワークアドレス情報の一例である。
【００６２】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００６３】
１０          資産管理装置
１１          資産管理通信部
１２          資産情報管理部
１３          資産情報記憶部
１４          プロファイル記憶部
２０          機器管理装置
２１          機器管理通信部
２２          機器設定管理部
２３          機器情報管理部
２４          機器情報記憶部
３０          機器
４０          クライアント装置
４１          要求送信部
４２          応答受信部
５０          ネットワーク
１００        ドライブ装置
１０１        記録媒体
１０２        補助記憶装置
１０３        メモリ装置
１０４        ＣＰＵ
１０５        インタフェース装置
Ｂ            バス
【先行技術文献】
【特許文献】
【００６４】
【特許文献１】特開２０１２−０８４１２４号公報
【図１】
2015114861.tif 000003
【図２】
2015114861.tif 000004
【図３】
2015114861.tif 000005
【図４】
2015114861.tif 000006
【図５】
2015114861.tif 000007
【図６】
2015114861.tif 000008
【図７】
2015114861.tif 000009
【図８】
2015114861.tif 000010